(57)【要約】【課題】故障した入力コンポーネントだけを置換可能であり、且つ個人的な必要によって好きな入力コンポーネントを選定して置換することができる置換可能組合せ式マウスとその置換可能式入力コンポーネントを提供する。【解決手段】一つの挿入台座と、少なくとも一つの置換可能式入力コンポーネントと、を含み、挿入台座は、少なくとも一つの第１電気連接器と、第１電気連接器と電気的に連接するマウス信号処理ユニットと、を含み、置換可能式入力コンポーネントは、第１電気連接器に挿入可能であり、これにより、置換可能式入力コンポーネントに挿入台座を機械的で電気的に連接可能である第２電気連接器と、入力信号を入力するためのものであり、入力された信号を第２電気連接器と第１電気連接器とを経由してマウス信号処理ユニットに伝送する少なくとも一つの信号入力子と、を含む。【選択図】図２
2012079168.tif 000002
【特許請求の範囲】
【請求項１】
一つの挿入台座と、少なくとも一つの置換可能式入力コンポーネントと、を含み、
前記挿入台座は、
少なくとも一つの第１電気連接器と、
前記第１電気連接器と電気的に連接するマウス信号処理ユニットと、
を含み、
前記置換可能式入力コンポーネントは、
前記第１電気連接器に挿入され、前記置換可能式入力コンポーネントを前記挿入台座に機械的かつ電気的に連接させる第２電気連接器と、
入力信号を入力するためのものであり、入力された信号を、前記第２電気連接器と前記第１電気連接器とを経由して、前記マウス信号処理ユニットに伝送する少なくとも一つの信号入力子と、
を含むことを特徴とする置換可能組合せ式マウス。
【請求項２】
前記挿入台座は第１係合子を含み、前記置換可能式入力コンポーネントは第２係合子を含み、前記第１係合子と前記第２係合子とを係合することにより、前記置換可能式入力コンポーネントを前記挿入台座に機械的かつ電気的に連接させることを特徴とする、請求項１に記載の置換可能組合せ式マウス。
【請求項３】
前記第１係合子は係り溝であり、前記第２係合子は係りフックであることを特徴とする、請求項２に記載の置換可能組合せ式マウス。
【請求項４】
前記第１係合子は係りフックであり、前記第２係合子は係り溝であることを特徴とする、請求項２に記載の置換可能組合せ式マウス。
【請求項５】
前記信号入力子は、ボタンとジョイスティックとのうちの少なくとも一つであることを特徴とする、請求項１から４の何れか１項に記載の置換可能組合せ式マウス。
【請求項６】
前記挿入台座は、前記マウス信号処理ユニットと電気的に連接する感応ユニットを含むことを特徴とする、請求項１から５の何れか１項に記載の置換可能組合せ式マウス。
【請求項７】
前記感応ユニットは、光学センサとローラとのうちの一つであることを特徴とする、請求項６に記載の置換可能組合せ式マウス。
【請求項８】
挿入台座に第１電気連接器を挿入することを可能にするためのものであり、これにより、置換可能組合せ式マウスが構成される置換可能式入力コンポーネントにおいて、
前記第１電気連接器に挿入され、前記置換可能式入力コンポーネントを前記挿入台座に機械的かつ電気的に連接させる第２電気連接器と、
入力信号を入力するためのものであり、入力された信号を、前記第２電気連接器と前記第１電気連接器とを経由して、前記第１電気連接器と電気的に連接するマウス信号処理ユニットに伝送する少なくとも一つの信号入力子と、
を含むことを特徴とする置換可能式入力コンポーネント。
【請求項９】
更に、第２係合子を含み、前記挿入台座は、更に、第１係合子を含み、前記第１係合子と前記第２係合子とを係合することにより、前記置換可能式入力コンポーネントを前記挿入台座に機械的かつ電気的に連接させることを特徴とする、請求項８に記載の置換可能式入力コンポーネント。
【請求項１０】
前記信号入力子は、ボタンとジョイスティックとのうちの少なくとも一つであることを特徴とする、請求項８または９に記載の置換可能式入力コンポーネント。
【発明の詳細な説明】
【技術分野】
【０００１】
本発明は、置換可能組合せ式マウスとその置換可能式入力コンポーネントに関し、特に、必要によって適当な置換可能式入力コンポーネントを選定して挿入台座に挿入して連接可能な置換可能組合せ式マウスとその置換可能式入力コンポーネントに関するものである。
【背景技術】
【０００２】
コンピュータが広汎に普及する現在では、マウスが不可欠な工具になる。ソフトウェアの利用、オンラインゲームの利用および情報の検索などでは、ユーザが手でマウスを操作してコンピュータを制御することが必要である。
【０００３】
マウスの構造は、ケースに覆われる、一つのマイクロコントロールユニット（Ｍｉｃｒｏ  Ｃｏｎｔｒｏｌ  Ｕｎｉｔ；ＭＣＵ）と、二つの信号入力子と、から構成されることが一般である。前記二つの信号入力子は、前記マイクロコントロールユニットと電気的に連接し、それぞれボタン構造を有する。ユーザが前記ボタン構造を押圧すると、入力信号が発生する。前記信号入力子により、入力信号がマイクロコントロールユニットに伝送されて、マイクロコントロールユニットがカーソルの操縦などの機能を実行する。
【０００４】
長期で頻繁に押圧されるため、ボタン構造はマウスの最も故障し易い部品である。ボタン構造が故障しても、より高価なマイクロコントロールユニットの機能が正常であるが、マウス全体を廃棄しなければならない。そうすると、マウスの利用のコストが高い。故障したボタン構造だけを置換することを可能にすれば、マウス全体を廃棄することが必要なくなり、マウスの寿命を延びることができ、マウスの利用のコストを減少することもできる。
【０００５】
一方、国民のマウスを利用する時間がどんどん長くなるため、手根管症候群などの病気が流行になる。これにより、マウスの設計は国民のマウスの購買時の重要な考慮事項になる。市販しているマウスは、例えば左利きや長時間にコンピュータを利用する者などの使用の習慣を考慮して、ボタンの押圧力、傾斜角度や形状などを調整する。しかし、市場の規模が小さいため、マウスをカスタマイズすることが困難である。
【発明の概要】
【発明が解決しようとする課題】
【０００６】
本発明の主な目的は、故障した入力コンポーネントだけを置換可能であり、且つ個人的な必要によって好きな入力コンポーネントを選定して置換することができる置換可能組合せ式マウスとその置換可能式入力コンポーネントを提供することにある。
【課題を解決するための手段】
【０００７】
本発明の置換可能組合せ式マウスによると、一つの挿入台座と、少なくとも一つの置換可能式入力コンポーネントと、を含み、
前記挿入台座は、
少なくとも一つの第１電気連接器と、
前記第１電気連接器と電気的に連接するマウス信号処理ユニットと、
を含み、
前記置換可能式入力コンポーネントは、
前記第１電気連接器に挿入可能であり、これにより、前記置換可能式入力コンポーネントに前記挿入台座を機械的で電気的に連接可能である第２電気連接器と、
入力信号を入力するためのものであり、入力された信号を前記第２電気連接器と前記第１電気連接器とを経由して前記マウス信号処理ユニットに伝送する少なくとも一つの信号入力子と、
を含むことを特徴とする。
【０００８】
本発明の置換可能組合せ式マウスによると、前記挿入台座は第１係合子を含み、前記置換可能式入力コンポーネントは第２係合子を含み、前記第１係合子と前記第２係合子とを係合することにより、前記置換可能式入力コンポーネントに前記挿入台座を機械的で電気的に連接可能であることを特徴とする。
【０００９】
本発明の置換可能組合せ式マウスによると、前記第１係合子は係り溝であり、前記第２係合子は係りフックであることを特徴とする。
【００１０】
本発明の置換可能組合せ式マウスによると、前記第１係合子は係りフックであり、前記第２係合子は係り溝であることを特徴とする。
【００１１】
本発明の置換可能組合せ式マウスによると、前記信号入力子は、ボタンとジョイスティックとのうちの少なくとも一つであることを特徴とする。
【００１２】
本発明の置換可能組合せ式マウスによると、前記挿入台座は、前記マウス信号処理ユニットと電気的に連接する感応ユニットを含むことを特徴とする。
【００１３】
本発明の置換可能組合せ式マウスによると、前記感応ユニットは、光学センサとローラとのうちの一つであることを特徴とする。
【００１４】
本発明の置換可能式入力コンポーネントによると、挿入台座に第１電気連接器を挿入することを可能にするためのものであり、これにより、置換可能組合せ式マウスが構成される置換可能式入力コンポーネントにおいて、
前記第１電気連接器に挿入可能であり、これにより、前記置換可能式入力コンポーネントに前記挿入台座を機械的で電気的に連接可能である第２電気連接器と、
入力信号を入力するためのものであり、入力された信号を前記第２電気連接器と前記第１電気連接器とを経由して前記マウス信号処理ユニットに伝送する少なくとも一つの信号入力子と、
を含むことを特徴とする。
【００１５】
本発明の置換可能式入力コンポーネントによると、更に、第２係合子を含み、前記挿入台座は、更に、第１係合子を含み、前記第１係合子と前記第２係合子とを係合することにより、前記置換可能式入力コンポーネントに前記挿入台座を機械的で電気的に連接可能であることを特徴とする。
【００１６】
本発明の置換可能式入力コンポーネントによると、前記信号入力子は、ボタンとジョイスティックとのうちの少なくとも一つであることを特徴とする。
【発明の効果】
【００１７】
本発明の置換可能組合せ式マウスとその置換可能式入力コンポーネントによれば、故障した入力コンポーネントだけを置換可能であるため、マウスの寿命を延びることができ、マウスの利用のコストを減少することもでき、且つ個人的な必要によって好きな入力コンポーネントを選定して置換することができるため、マウスをカスタマイズすることができるという効果を有する。
【図面の簡単な説明】
【００１８】
【図１】本発明の第１実施例の置換可能組合せ式マウスの組合済み状態の斜視図である。
【図２】本発明の第１実施例の置換可能組合せ式マウスの分解斜視図である。
【図３】本発明の第１実施例の置換可能組合せ式マウスの機能を示すブロック図である。
【図４】本発明の第２実施例の置換可能組合せ式マウスの構造を示す平面図である。
【図４Ａ】本発明の第２実施例の置換可能組合せ式マウスの構造を示す正面図である。
【図５】本発明の第３実施例の置換可能組合せ式マウスの構造を示す平面図である。
【発明を実施するための形態】
【００１９】
以下、本発明の実施の形態を図面に基づいて説明する。
（第１実施例）
まず、図１から図３を参照する。図１は本発明の第１実施例の置換可能組合せ式マウスの組合済み状態の斜視図であり、図２は本発明の第１実施例の置換可能組合せ式マウスの分解斜視図であり、図３は本発明の第１実施例の置換可能組合せ式マウスの機能を示すブロック図である。本実施例の置換可能組合せ式マウス１００は、挿入台座１と、置換可能式入力コンポーネント２、２ａと、を組合せて構成される。
【００２０】
挿入台座１の内部には、マウス信号処理ユニット１１と、感応ユニット１２と、が設けられる。挿入台座１の両側には、第１電気連接器１３、１３ａ（図２では、視角の原因で１３だけを表示）と、第１係合子１４、１４（図２では、視角の原因で一つだけを表示）と、がそれぞれ設けられる。マウス信号処理ユニット１１は、マイクロコントロールユニット（Ｍｉｃｒｏ  Ｃｏｎｔｒｏｌ  Ｕｎｉｔ；ＭＣＵ）でもよく、第１電気連接器１３と電気的に連接する。感応ユニット１２は、光学センサ又はローラであり、マウス信号処理ユニット１１と電気的に連接する。
【００２１】
置換可能式入力コンポーネント２、２ａは、信号入力子２１、２１ａと、第２電気連接器２２、２２ａと、第２係合子２３、２３（図２では、視角の原因で一つだけを表示）と、をそれぞれ含む。第２電気連接器２２、２２ａと第２係合子２３、２３は、それぞれ置換可能式入力コンポーネント２、２ａの挿入台座１に対応する側に設けられる。信号入力子２１は、ボタン又はジョイスティックであり、回路のスイッチユニット（図示せず）に結合される。信号入力子２１により、ユーザは入力信号Ｓ１を入力できる。
【００２２】
第１電気連接器１３はレセプタクルコネクタであり、第２電気連接器２２はプラグコネクタである。第１係合子１４は係り溝であり、第２係合子２３は係りフックである。もちろん、第１電気連接器１３はプラグコネクタであり、第２電気連接器２２はレセプタクルコネクタであり、第１係合子１４は係りフックであり、第２係合子２３は係り溝でもよい。
【００２３】
置換可能式入力コンポーネント２、２ａの第２電気連接器２２、２２ａは、挿入台座１の両側にある第１電気連接器１３、１３ａに挿入され、これにより、置換可能式入力コンポーネント２、２ａに挿入台座１を機械的で電気的に連接可能である。このとき、第２係合子２３が第１係合子１４と係合するため、置換可能式入力コンポーネント２、２ａと挿入台座１との機械的な連結が更に安定になる。上記の構成によれば、置換可能式入力コンポーネント２、２ａと挿入台座１との組合せにより置換可能組合せ式マウス１００が構成される。
【００２４】
このとき、置換可能式入力コンポーネント２、２ａの信号入力子２１、２１ａのうちの一つを操作することにより、入力信号Ｓ１が入力されて第２電気連接器２２と第１電気連接器１３とを経由してマウス信号処理ユニット１１に伝送する。そして感応ユニット１２からの感応信号（図示せず）がマウス信号処理ユニット１１に伝送され、マウス信号処理ユニット１１により入力信号Ｓ１と前記感応信号とが処理されてマウス制御命令を発生し、前記マウス制御命令がホストに伝送される。
【００２５】
置換可能組合せ式マウス１００の特徴は、置換可能組合せ式マウス１００が置換可能式入力コンポーネント２、２ａと挿入台座１とを組合せて構成される。置換可能式入力コンポーネント２、２ａと挿入台座１とは単独に販売できる。そうすると、挿入台座１に結合する置換可能式入力コンポーネント２、２ａは、ユーザの個人的な必要によって自由に置換可能であり、マウスをカスタマイズすることができる。
【００２６】
例えば、一般のマウスは右利きの手部の形状に合う輪郭を設計する。しかし、このようなマウスは左利きに優しくない。左利き専用のマウスが少ないため、左利きのユーザはマウスの形状やボタンの押圧力について特殊な要求がある場合には、要求に合うことができるマウスが殆どない。
【００２７】
（第２実施例）
図４及び図４Ａを参照する。図４は本発明の第２実施例の置換可能組合せ式マウスの構造を示す平面図であり、図４Ａは本発明の第２実施例の置換可能組合せ式マウスの構造を示す正面図である。本実施例では、置換可能組合せ式マウス１００´は、第１実施例と同じな挿入台座１に、形状および傾斜角度が第１実施例と相違する置換可能式入力コンポーネント２´、２ａ´を結合して構成される。置換可能式入力コンポーネント２ａ´は、その幅が置換可能式入力コンポーネント２´の幅よりも大きく、且つ置換可能式入力コンポーネント２´よりも上に凸出する。そうすると、マウスの輪郭が左利きの手部の形状に合うことができ、すなわち、このようなマウスは左利きのユーザに優しい（Ｕｓｅｒ  Ｆｒｉｅｎｄｌｙ）。
【００２８】
（第３実施例）
図５を参照する。図５は本発明の第３実施例の置換可能組合せ式マウスの構造を示す平面図である。本実施例では、置換可能組合せ式マウス１００″は、一つの挿入台座１に一つの置換可能式入力コンポーネント２″を結合して構成される。置換可能式入力コンポーネント２″は、一つの第２電気連接器（図示せず）と、信号入力子２１″、２１ａ″と、を有し、前記第２電気連接器により挿入台座１″と結合できる。
【００２９】
このように、本発明が、特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００３０】
１，１″：挿入台座
２，２ａ，２´，２ａ´，２″：置換可能式入力コンポーネント
１１：マウス信号処理ユニット
１２：感応ユニット
１３，１３ａ：第１電気連接器
１４：第１係合子
２１，２１ａ，２１″，２１ａ″：信号入力子
２２，２２ａ：第２電気連接器
２３：第２係合子
１００，１００´，１００″：置換可能組合せ式マウス
Ｓ１：入力信号
【産業上の利用可能性】
【００３１】
本発明は、マウスとその入力コンポーネントに適用することができる。
【図１】
2012079168.tif 000003
【図２】
2012079168.tif 000004
【図３】
2012079168.tif 000005
【図４】
2012079168.tif 000006
【図４Ａ】
2012079168.tif 000007
【図５】
2012079168.tif 000008